(57)【要約】【課題】サーバにて格納するデータ量を抑えるとともに、利用者や第三者に対して、異常状態にある旨をリアルタイムに知らせること。【解決手段】クレードル装置１１０には、携帯電話装置１１１が載置される。クレードル装置１１０は、入力部１００１と、判断部１００３と、制御部１００４とを備える。入力部１００１は、所定の検知センサから検知情報を入力する。判断部１００３は、入力部１００１に入力された検知情報を用いて、人体または物体の動作状態が通常の状態とは異なる状態（以下「異常状態」という）であるか否かを判断する。制御部１００４は、判断部１００３によって動作状態が異常状態であると判断された場合、異常状態を示す情報を携帯電話装置１１１からサーバ１２０へ送信させる。【選択図】図１０
2009177294.tif 000002
【特許請求の範囲】
【請求項１】
携帯電話装置が載置されるクレードル装置において、
所定の検知センサから検知情報を入力する入力手段と、
前記入力手段に入力された検知情報を用いて、人体または物体の動作状態が通常の状態とは異なる状態（以下「異常状態」という）であるか否かを判断する判断手段と、
前記判断手段によって前記動作状態が異常状態であると判断された場合、異常状態を示す情報を前記携帯電話装置から外部のサーバへ送信させる制御手段と、
を備えることを特徴とするクレードル装置。
【請求項２】
移動体に搭載される請求項１に記載のクレードル装置であって、
移動体の加速度を検知する加速度センサからなる検知手段をさらに備え、
前記入力手段は、前記検知手段によって検知された加速度の情報を入力し、
前記判断手段は、前記加速度が所定範囲内か否かを判断し、
前記制御手段は、前記加速度が所定範囲を超える場合に、異常状態を示す情報を前記携帯電話装置から前記サーバへ送信させることを特徴とするクレードル装置。
【請求項３】
人の呼吸数、心拍数、または体動を検知する検知センサの近傍に配置される請求項１に記載のクレードル装置であって、
前記入力手段は、前記検知センサから検知情報を入力し、
前記判断手段は、前記入力手段に入力された検知情報を用いて、前記呼吸数または前記心拍数が所定範囲内にあるか否かを判断し、
前記制御手段は、前記呼吸数または前記心拍数が所定範囲を超える場合、異常状態を示す情報を前記携帯電話装置から外部のサーバへ送信させることを特徴とするクレードル装置。
【請求項４】
屋内または屋外に設置される防犯用センサの近傍に配置される請求項１に記載のクレードル装置であって、
前記入力手段は、前記防犯用センサから検知情報を入力し、
前記判断手段は、前記入力手段に入力された検知情報が異常を示すものか否かを判断し、
前記制御手段は、前記判断手段によって前記検知情報が異常を示すものと判断された場合、異常状態を示す情報を前記携帯電話装置から外部のサーバへ送信させることを特徴とするクレードル装置。
【請求項５】
前記入力手段に入力された前記検知情報を記憶する記憶手段をさらに備えることを特徴とする請求項１〜４のいずれか一つに記載のクレードル装置。
【請求項６】
前記記憶手段に記憶される情報を更新する更新手段と、
前記携帯電話装置に内蔵されるカメラによって撮像された周辺の撮像情報を取得する取得手段と、
をさらに備え、
前記記憶手段は、前記取得手段によって取得された撮像情報を記憶し、
前記更新手段は、前記記憶手段に記憶される撮像情報を所定の間隔で更新することを特徴とする請求項５に記載のクレードル装置。
【請求項７】
前記制御手段は、前記判断手段によって人体または物体の動作状態が異常状態であると判断された場合に、前記記憶手段に記憶された撮像情報を保存させるとともに、前記異常状態を示す情報として、前記保存された撮像情報を前記携帯電話装置から前記サーバへ送信させることを特徴とする請求項５または６に記載のクレードル装置。
【請求項８】
前記異常状態を示す情報の転送先となる利用者端末装置の情報を登録する登録手段をさらに備え、
前記制御手段は、前記異常状態を示す情報と、前記登録手段に登録される利用者端末装置の情報とを前記携帯電話装置から外部のサーバへ送信させることを特徴とする請求項１〜７のいずれか一つに記載のクレードル装置。
【請求項９】
前記記憶手段は、不揮発性記憶媒体からなることを特徴とする請求項５に記載のクレードル装置。
【請求項１０】
前記携帯電話装置を収容するハウジングと、
前記ハウジング内に設けられ、エアバックを有する緩衝手段と、
前記ハウジング内の前記携帯電話装置の有無を検出する検出手段と、
前記検出手段によって前記ハウジング内に前記携帯電話装置が検出されたときに、前記緩衝手段が有するエアバックに空気を送出することにより、前記緩衝手段に対して前記携帯電話装置を固定させるための力を印加させる加圧手段と、
をさらに備えることを特徴とする請求項１〜８のいずれか一つに記載のクレードル装置。
【請求項１１】
前記ハウジング内の携帯電話装置に対して電源を供給する電源供給手段をさらに備えることを特徴とする請求項１０に記載のクレードル装置。
【請求項１２】
携帯電話装置が載置されるクレードル装置から前記携帯電話装置を介して、人体または物体の動作状態が通常の状態とは異なる状態（以下「異常状態」という）を示す情報と、当該異常状態を示す情報の転送先となる利用者端末装置の情報とを受信する受信手段と、
前記受信手段が受信した異常状態を示す情報を前記利用者端末装置に転送する転送手段と、
を備えることを特徴とするサーバ。
【請求項１３】
人体または物体の動作状態が通常の状態とは異なる状態（以下「異常状態」という）を示す情報の転送先となる利用者端末装置の情報を、携帯電話装置ごとに予め登録する登録手段と、
携帯電話装置が載置されるクレードル装置から前記携帯電話装置を介して、所定の検知センサによって検知された検知情報を受信する受信手段と、
前記受信手段が受信した検知情報を用いて、前記動作状態が異常状態であるか否かを判断する判断手段と、
前記判断手段によって前記動作状態が異常状態であると判断された場合、異常状態を示す情報を、前記登録手段に登録される利用者端末装置へ送信させる制御手段と、
を備えることを特徴とするサーバ。
【請求項１４】
携帯電話装置が載置されるクレードル装置の制御方法において、
所定の検知センサから検知情報を入力する入力工程と、
前記入力工程にて入力された検知情報を用いて、人体または物体の動作状態が通常の状態とは異なる状態（以下「異常状態」という）であるか否かを判断する判断工程と、
前記判断工程にて前記動作状態が異常状態であると判断された場合、異常状態を示す情報を前記携帯電話装置から外部のサーバへ送信させる制御工程と、
を含むことを特徴とするクレードル装置の制御方法。
【請求項１５】
請求項１４に記載の制御方法をコンピュータに実行させることを特徴とする制御プログラム。
【請求項１６】
請求項１５に記載の制御プログラムを記録したことを特徴とするコンピュータに読み取り可能な記録媒体。
【発明の詳細な説明】
【技術分野】
【０００１】
この発明は、携帯電話装置を載置するクレードル装置、サーバ、制御方法、制御プログラムおよび記録媒体に関する。
【背景技術】
【０００２】
近年、移動体通信として通話や電子メールなどをおこなうことができる携帯電話装置が普及している。このような携帯電話装置は、バッテリーを充電することにより利用者による携行を可能にしている。バッテリーに対する充電は、たとえばスタンド型の拡張機器であるクレードルを用い、当該クレードルに携帯電話を載置することによっておこなわれる。
【０００３】
また、クレードルに携帯電話を載置することにより、バッテリーへの充電のみならず、たとえばＰＣ（Ｐｅｒｓｏｎａｌ  Ｃｏｍｐｕｔｅｒ）とクレードルとを、ＵＳＢケーブルを用いて接続することによりＰＣおよび携帯電話間でデータの送受信をおこなうことも可能である。
【０００４】
さらに、このほかにも、携帯電話とクレードルを用いて、ドライブレコーダとしての機能を持たせるようにした技術が提案されている。たとえば、クレードル装置に焦点距離を調節するテレコンバータレンズを組み込み、カメラ付き携帯電話に内蔵されたカメラによって撮像された走行時の画像をサーバに送信して、サーバにて当該画像を記録させるようにしたクレードルが提案されている（たとえば、下記特許文献１参照。）。
【０００５】
【特許文献１】特開２００４−２３５９６４号公報
【発明の開示】
【発明が解決しようとする課題】
【０００６】
しかしながら、上述した特許文献１の技術は、撮像した画像を単にサーバに記録させるだけの構成であり、順次記録される膨大なデータにより、サーバへの負荷が避けられないだけでなく、交通事故などを検証する際には、記録したデータの中から対象となるデータを検索しなければならないといった不具合があった。
【０００７】
さらに、特許文献１の技術は、走行中の画像を撮影して記録させるに過ぎず、移動体が事故などの緊急状態にある場合であっても、目撃者以外の第三者が当該緊急状態をリアルタイムに知ることができないといった問題があった。
【０００８】
本発明は上述した従来技術による問題点を解決するために、サーバへの負荷を低減するとともに、人体や物体の動作状態が通常の状態とは異なる状態にある場合に、第三者や利用者が当該状態をリアルタイムに知ることのできるクレードル装置を提供することを目的とする。
【課題を解決するための手段】
【０００９】
上述した課題を解決し、目的を達成するため、この発明にかかるクレードル装置は、携帯電話装置が載置されるクレードル装置において、所定の検知センサから検知情報を入力する入力手段と、前記入力手段に入力された検知情報を用いて、人体または物体の動作状態が通常の状態とは異なる状態（以下「異常状態」という）であるか否かを判断する判断手段と、前記判断手段によって前記動作状態が異常状態であると判断された場合、異常状態を示す情報を前記携帯電話装置から外部のサーバへ送信させる制御手段と、を備えることを特徴とする。
【００１０】
また、この発明にかかるクレードル装置は、移動体に搭載される上記クレードル装置であって、移動体の加速度を検知する加速度センサからなる検知手段をさらに備え、前記入力手段は、前記検知手段によって検知された加速度の情報を入力し、前記判断手段は、前記加速度が所定範囲内か否かを判断し、前記制御手段は、前記加速度が所定範囲を超える場合に、異常状態を示す情報を前記携帯電話装置から前記サーバへ送信させることを特徴とする。
【００１１】
また、この発明にかかるクレードル装置は、人の呼吸数、心拍数または体動を検知する検知センサの近傍に配置される上記クレードル装置であって、前記入力手段は、前記検知センサから検知情報を入力し、前記判断手段は、前記入力手段に入力された検知情報を用いて、前記呼吸数または前記心拍数が所定範囲内にあるか否かを判断する判断し、前記制御手段は、前記呼吸数または前記心拍数が所定範囲を超える場合、異常状態を示す情報を前記携帯電話装置から外部のサーバへ送信させることを特徴とする。
【００１２】
また、この発明にかかるクレードル装置は、屋内または屋外に設置される防犯用センサの近傍に配置される上記クレードル装置であって、前記入力手段は、前記防犯用センサから検知情報を入力し、前記判断手段は、前記入力手段に入力された検知情報が異常を示すものか否かを判断し、前記制御手段は、前記判断手段によって前記検知情報が異常を示すものと判断された場合、異常状態を示す情報を前記携帯電話装置から外部のサーバへ送信させることを特徴とする。
【００１３】
また、この発明にかかるクレードル装置は、上記発明において、前記入力手段に入力された前記検知情報を記憶する記憶手段をさらに備えることを特徴とする。
【００１４】
また、この発明にかかるクレードル装置は、上記発明において、前記記憶手段に記憶される情報を更新する更新手段と、前記携帯電話装置に内蔵されるカメラによって撮像された周辺の撮像情報を取得する取得手段と、をさらに備え、前記記憶手段は、前記取得手段によって取得された撮像情報を記憶し、前記更新手段は、前記記憶手段に記憶される撮像情報を所定の間隔で更新することを特徴とする。
【００１５】
また、この発明にかかるクレードル装置は、上記発明において、前記制御手段は、前記判断手段によって人体または物体の動作状態が異常状態であると判断された場合に、前記記憶手段に記憶された撮像情報を保存させるとともに、前記異常状態を示す情報として、前記保存された撮像情報を前記携帯電話装置から前記サーバへ送信させることを特徴とする。
【００１６】
また、この発明にかかるクレードル装置は、上記発明において、前記異常状態を示す情報の転送先となる利用者端末装置の情報を登録する登録手段をさらに備え、前記制御手段は、前記異常状態を示す情報と、前記登録手段に登録される利用者端末装置の情報とを前記携帯電話装置から外部のサーバへ送信させることを特徴とする。
【００１７】
また、この発明にかかるクレードル装置は、上記発明において、前記記憶手段は、不揮発性記憶媒体からなることを特徴とする。
【００１８】
また、この発明にかかるクレードル装置は、上記発明において、前記携帯電話装置を収容するハウジングと、前記ハウジング内に設けられ、エアバックを有する緩衝手段と、前記ハウジング内の前記携帯電話装置の有無を検出する検出手段と、前記検出手段によって前記ハウジング内に前記携帯電話装置が検出されたときに、前記緩衝手段が有するエアバックに空気を送出することにより、前記緩衝手段に対して前記携帯電話装置を固定させるための力を印加させる加圧手段と、をさらに備えることを特徴とする。
【００１９】
また、この発明にかかるクレードル装置は、上記発明において、前記ハウジング内の携帯電話装置に対して電源を供給する電源供給手段をさらに備えることを特徴とする。
【００２０】
また、この発明にかかるサーバは、携帯電話装置が載置されるクレードル装置から前記携帯電話装置を介して、人体または物体の動作状態が通常の状態とは異なる状態（以下「異常状態」という）を示す情報と、当該異常状態を示す情報の転送先となる利用者端末装置の情報とを受信する受信手段と、前記受信手段が受信した異常状態を示す情報を前記利用者端末装置に転送する転送手段と、を備えることを特徴とする。
【００２１】
また、この発明にかかるサーバは、人体または物体の動作状態が通常の状態とは異なる状態（以下「異常状態」という）を示す情報の転送先となる利用者端末装置の情報を、携帯電話装置ごとに予め登録する登録手段と、携帯電話装置が載置されるクレードル装置から前記携帯電話装置を介して、所定の検知センサによって検知された検知情報を受信する受信手段と、前記受信手段が受信した検知情報を用いて、前記動作状態が異常状態であるか否かを判断する判断手段と、前記判断手段によって前記動作状態が異常状態であると判断された場合、異常状態を示す情報を、前記登録手段に登録される利用者端末装置へ送信させる制御手段と、を備えることを特徴とする。
【００２２】
また、この発明にかかる制御方法は、携帯電話装置が載置されるクレードル装置の制御方法において、所定の検知センサから検知情報を入力する入力工程と、前記入力工程にて入力された検知情報を用いて、人体または物体の動作状態が通常の状態とは異なる状態（以下「異常状態」という）であるか否かを判断する判断工程と、前記判断工程にて前記動作状態が異常状態であると判断された場合、異常状態を示す情報を前記携帯電話装置から外部のサーバへ送信させる制御工程と、を含むことを特徴とする。
【００２３】
また、この発明にかかる制御プログラムは、上記に記載の制御方法をコンピュータに実行させることを特徴とする。
【００２４】
また、この発明にかかる記録媒体は、上記に記載の制御プログラムをコンピュータに読み取り可能に記録したことを特徴とする。
【発明の効果】
【００２５】
本発明にかかるクレードル装置によれば、人体や物体の動作状態が異常状態にある場合に、異常状態にある旨の情報のみをサーバに送信するようにしたので、サーバにて格納するデータ量を抑えることができるだけでなく、異常状態における情報のみを的確にサーバに格納することができるという効果を奏する。
【００２６】
また、本発明にかかるサーバによれば、人体や物体の動作状態が異常状態にある旨の情報を他の利用者端末装置に転送するようにしたので、利用者や第三者に対して、当該異常状態にある旨をリアルタイムに知らせることができるという効果を奏する。
【００２７】
また、本発明にかかるサーバによれば、クレードル装置によって検知された検知情報を受信するとともに、受信した検知情報を用いて、車両の動作状態が異常状態であると判断した場合、異常状態を示す情報を、予め登録される利用者端末装置へ送信させるようにしたので、クレードル装置および携帯電話装置には撮像情報を送信するだけの簡易な構成とすることができる。さらに、サーバにて、各種処理をおこない、異常状態を示す情報のみを格納することにより、格納するデータ量を抑えることを可能にするとともに、異常状態を的確且つリアルタイムに利用者端末装置に送信することができる。
【発明を実施するための最良の形態】
【００２８】
以下に添付図面を参照して、この発明にかかるクレードル装置、サーバ、制御方法、制御プログラム、および記録媒体の好適な実施の形態を詳細に説明する。
【００２９】
（実施の形態１）
（情報通知システム１００の概要）
まず、実施の形態１にかかる情報通知システム１００の概要について説明する。図１は、実施の形態１にかかる情報通知システム１００の概要を示す説明図である。図１において、情報通知システム１００は、クレードル装置１１０と、携帯電話装置１１１と、サーバ１２０と、利用者端末装置１３０とから構成される。
【００３０】
携帯電話装置１１１と、サーバ１２０と、利用者端末装置１３０とは、それぞれインターネットなどのネットワーク１４０により接続されている。なお、以下の説明においては、クレードル装置１１０および携帯電話装置１１１を用いてドライブレコーダとして機能させた場合について説明する。
【００３１】
クレードル装置１１０は、たとえば、車両のダッシュボード上に設置される。このクレードル装置１１０は、詳細については後述するが、加速度センサを備え、車両に生じる加速度を検知するとともに、車両が通常の状態とは異なる状態（以下「異常状態」という）であるか否かを判断し、異常状態であると判断した場合に、異常状態を示す情報を、携帯電話装置１１１を介してサーバ１２０へ送信させるなどの制御をおこなう。異常状態を示す情報は、後述する携帯電話装置１１１のカメラによって撮像された画像や、異常が発生したという旨の報知アラームなどの情報などである。
【００３２】
携帯電話装置１１１は、動画や静止画を撮像する撮像部１１２を内蔵し、クレードル装置１１０にセットされた際に、たとえば車両の前方方向の状況を撮像することを可能にする。撮像情報には、音声情報、時刻の情報、位置情報などが含まれる。撮像された撮像情報は、たとえば、クレードル装置１１０に内蔵されるメモリに順次上書きされる。なお、撮像された撮像情報の記憶は、クレードル装置１１０のメモリに限らず、携帯電話装置１１１に内蔵されるメモリによっておこなうことも可能である。また、携帯電話装置１１１は、ネットワーク１４０により外部の通信機器と接続可能になっている。
【００３３】
サーバ１２０は、携帯電話装置１１１から送られてきた情報を記憶するとともに、当該情報を利用者端末装置１３０に転送する。利用者端末装置１３０は、他の携帯電話装置１３１と、ＰＣ（Ｐｅｒｓｏｎａｌ  Ｃｏｍｐｕｔｅｒ）１３２とからなる。なお、他の携帯電話装置１３１およびＰＣ１３２は、それぞれ単数であっても複数であってもよい。利用者端末装置１３０の利用者は、携帯電話装置１１１の所有者の動作状態に異常が生じた場合に、当該異常状態の通知を所望する人であり、具体的には、たとえば、携帯電話装置１１１の所有者の家族や職場の関係者などである。
【００３４】
また、ＰＣ１３２は、利用者の自宅などのほか、利用者が勤務する職場（たとえばタクシー会社や配送会社などの運送業者）に設置される。また、ＰＣ１３２は、詳細については後述するが、クレードル装置１１０を医療用や介護用として用いる場合には、たとえば、かかりつけの医療施設や介護施設などに設置される。さらに、ＰＣ１３２は、クレードル装置１１０を防犯用に用いる場合には、利用者が契約している警備会社などに設置される。
【００３５】
また、図１に示す符号Ａ〜Ｄは、本発明にかかる情報通知システム１００の情報の流れを示している。つまり、クレードル装置１１０にセットされた携帯電話装置１１１から異常状態を示す情報がサーバ１２０に送信されると（符号Ａ，Ｂ）、サーバ１２０から利用者端末装置１３０に異常状態を示す情報が転送されるようになっている（符号Ｃ，Ｄ）。
【００３６】
（クレードル装置の構成）
つぎに、図２〜図４を用いて、クレードル装置１１０の構成について説明する。図２は、クレードル装置１１０の側面図である。図３は、クレードル装置１１０の正面図である。図４は、クレードル装置１１０の上面図である。
【００３７】
図２および図３において、クレードル装置１１０は、筐体２０１と、固定板２０２と、回動機構２０３と、電源ケーブル２０４と、収容部２０５とを備えている。筐体２０１は、たとえば合成樹脂からなり、携帯電話装置１１１を収容する収容部２０５が設けられている。固定板２０２は、クレードル装置１１０の土台となる部位であり、ダッシュボード上に、たとえば、金具、吸盤、両面テープ、ビスなどのいずれかを用いて固設される。
【００３８】
回動機構２０３は、筐体２０１と固定板２０２とを連結するとともに、筐体２０１を前後左右に回動自在にする。この回動機構２０３は、人が加える所定量以上の外力により回動自在とし、走行時における車内の振動などでは回動しない程度の保持力を有するものとしてもよいし、ロック機構を設け、ロックを解除した場合にのみ回動自在とするものとしてもよい。電源ケーブル２０４は、後述するセンサ付回路部（図５参照）および携帯電話装置１１１に対して電源を供給するためのケーブルである。また、図３に示すように、クレードル装置１１０には、筐体２０１の正面に、具体的には、利用者が押下し易い位置（運転席に近い側）に、エマージェンシースイッチ３０１が設けられている。
【００３９】
また、図４に示すように、クレードル装置１１０は、収容部２０５内にエアバック４０１を備えている。このエアバック４０１は、後述するポンプによって、エアバック４０１内に空気が送出されると膨張して四周から携帯電話装置１１１を押圧することにより携帯電話装置１１１を固定する。
【００４０】
なお、回動機構２０３が設けられる筐体２０１と固定板２０２との連結部付近に、筐体２０１に対して車両からの振動の伝達を低減させるための弾性部材や減衰部材などを設けることも可能である。また、固定板２０２のダッシュボードと接触する面に緩衝部材を設けることも可能である。さらに、携帯電話装置１１１による撮像領域を広げるために、たとえば、モータにより筐体２０１を左右に回動させる構造とすることも可能である。
【００４１】
（センサ付回路部の構成）
つぎに、図５を用いて、センサ付回路部の構成について説明する。図５は、センサ付回路部５０１の構成を示す側面図である。図５において、センサ付回路部５０１は、筐体２０１内に設けられ、詳細については図９を用いて後述するが、加速度センサ、メモリ、ＣＰＵ、各種回路などが内蔵される。また、センサ付回路部５０１は、下方にポンプ５０２を備える。ポンプ５０２は、エアバック４０１に空気を送出する。
【００４２】
また、センサ付回路部５０１は、携帯電話装置１１１と、後述するコネクタ７０１（図７参照）により有線接続されることにより、携帯電話装置１１１が収容部２０５に収容されたものとして検出する。なお、収容部２０５内の携帯電話装置１１１の有無の検出に際しては、センサを用いることも可能である。
【００４３】
（クレードル装置に携帯電話装置をセットした際の状態）
つぎに、図６〜図８を用いて、クレードル装置１１０に携帯電話装置１１１をセットした際の状態について説明する。図６は、クレードル装置１１０に携帯電話装置１１１をセットした際の側面図である。図７は、クレードル装置１１０に携帯電話装置１１１をセットした際の正面図である。図８は、クレードル装置１１０に携帯電話装置１１１をセットした際の上面図である。
【００４４】
図６〜図８において、クレードル装置１１０には、携帯電話装置１１１がセットされている。携帯電話装置１１１は、収容部２０５に収容された状態において、撮像部１１２がフロントガラス（図示外）側を向く方向に載置される。携帯電話装置１１１が収容された状態では、エアバック４０１により携帯電話装置１１１が固定された状態にある。
【００４５】
また、図７に示すように、携帯電話装置１１１とクレードル装置１１０とはコネクタ７０１によって有線接続されている。携帯電話装置１１１とコネクタ７０１とを接続させると、ポンプ５０２が駆動し、エアバック４０１内に空気が送出されることにより、携帯電話装置１１１がエアバック４０１により固定された状態となる。
【００４６】
また、携帯電話装置１１１とクレードル装置１１０とがコネクタ７０１によって有線接続されることにより、携帯電話装置１１１のバッテリーを充電することができるようになっている。また、この有線接続により、たとえばクレードル装置１１０から携帯電話装置１１１に、情報を送信させるタイミングなどの制御信号が送出されるほか、携帯電話装置１１１かクレードル装置１１０に携帯電話装置１１１にて撮像した撮像情報が送出されるようになっている。
【００４７】
このコネクタ７０１には、たとえば、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）コネクタが用いられる。なお、詳細については後述するが、携帯電話装置１１１とクレードル装置１１０との接続は、有線接続に限らず、Ｂｌｕｅｔｏｏｔｈなどを用いた近距離無線通信による通信接続も可能である。なお、Ｂｌｕｅｔｏｏｔｈは登録商標である。
【００４８】
（クレードル装置のハードウェア構成の概要）
つぎに、図９を用いてクレードル装置１１０のハードウェア構成の概要について説明する。図９は、クレードル装置１１０のハードウェア構成の概要を示すブロック図である。図９において、クレードル装置１１０は、加速度センサ（Ｇセンサ）９０１と、Ａ／Ｄコンバータ９０２と、ＣＰＵ９０３と、メモリ９０４と、携帯電話インターフェース（Ｉ／Ｆ）９０５と、ＵＳＢポート９０６と、外部センサ入力端子９０７と、保守用ＵＳＢポート９０８と、電源入力端子９０９と、ＤＣ／ＤＣコンバータ９１０とを備えている。
【００４９】
Ｇセンサ９０１は、車両に生じる加速度を検知する。具体的には、２軸方向の加速度を検知する小型のセンサが用いられる。なお、センサとしては、このほかにも、クレードル装置１１０の収容部２０５（図２参照）内の携帯電話装置１１１の有無を検知する図示外の検知センサを備えてもよい。Ａ／Ｄコンバータ９０２は、Ｇセンサ９０１によって検知されたアナログ信号をデジタル信号に変換する。
【００５０】
ＣＰＵ９０３は、クレードル装置１１０の全体の制御を司り、図示外のＲＯＭに記憶された制御プログラムに基づいて各種の演算処理を実行する。また、図示外のＲＡＭは、ＣＰＵ９０３の演算処理時におけるデータのワークエリアとして機能する。制御プログラムは、Ｇセンサ９０１によって検知された加速度が所定範囲内の値か否かを判断するとともに、所定範囲を超えると判断した場合に、異常状態を示す情報を、携帯電話装置１１１を介してサーバ１２０へ送信させるプログラムなどである。
【００５１】
メモリ９０４は、磁気ディスク、光ディスク、フラッシュメモリなどが用いられ、Ｇセンサ９０１の検知結果や、携帯電話装置１１１にて撮像された撮像情報を記憶する。なお、撮像情報には、音声情報、時刻の情報、位置情報などが含まれる。記憶される情報は、ＣＰＵ９０３の制御により、随時更新される。なお、事故などの衝突時などに、電源の供給がなくなった場合においても撮像情報が消去されてしまうことのないよう、少なくとも撮像情報を記憶する媒体としては、フラッシュメモリなどの不揮発性記憶媒体を用いることが望ましい。
【００５２】
携帯Ｉ／Ｆ９０５は、ＵＳＢポート９０６およびコネクタ７０１を介して携帯電話装置１１１と接続され、携帯電話装置１１１との情報の入出力をおこなう。外部センサ入力端子９０７は、外部からの種々のセンサを入力するためのターミナルである。保守用ＵＳＢポート９０８は、外部からの他の機器のＵＳＢ接続をおこなうためのコネクタである。
【００５３】
電源入力端子９０９は、たとえばシガーソケットプラグを有し、車両内のシガーソケットに接続される。ＤＣ／ＤＣコンバータ９１０は、１２Ｖまたは２４Ｖの直流電流の電圧値を、クレードル装置１１０の動作用の電圧値（たとえば３Ｖ程度）に変換するコンバータである。変換された電源は、クレードル装置１１０用（回路用）の電源と、携帯電話装置１１１を充電するため電源とに分岐される。
【００５４】
（クレードル装置１１０の機能的構成）
つぎに、図１０を用いてクレードル装置１１０の機能的構成について説明する。図１０は、クレードル装置１１０の機能的構成を示すブロック図である。
【００５５】
図１０において、クレードル装置１１０は、入力部１００１と、検知部１００２と、判断部１００３と、制御部１００４と、出力部１００５と、取得部１００６と、記憶部１００７と、更新部１００８と、登録部１００９と、検出部１０１０と、加圧部１０１１と、エアバック４０１とを備えて構成される。
【００５６】
入力部１００１は、検知部１００２からの検知情報を入力する。入力部１００１は、インターフェースコンバータとしての図９に示したＡ／Ｄコンバータ９０２によってその機能を実現することができる。また、検知部１００２は、図９に示したＧセンサ９０１によってその機能を実現することができる。
【００５７】
判断部１００３は、入力部１００１に入力された加速度が所定範囲内か否かを判断する。所定範囲内の加速度は、交通事故などの衝突時に生じる加速度よりも小さい加速である。また、制御部１００４は、判断部１００３によって加速度が所定範囲を超えると判断された場合に、異常状態を示す情報を出力部１００５に出力する。所定範囲を超える加速度は、具体的には、衝突時に生じる加速度である。
【００５８】
異常状態を示す情報は、代表的には、衝突のあった時間やエマージェンシースイッチ３０１（図３参照）が押下された時間を基準としてその前後の所定時間内に撮像された車両周囲の撮像情報であるが、このほかにも、報知アラームなどの情報であってもよいし、入力部１００１に入力されて記憶部１００７に記憶された加速度の情報であってもよい。
【００５９】
判断部１００３および制御部１００４は、図９に示したＣＰＵ９０３によってその機能を実現することができる。出力部１００５から出力された異常状態を示す情報は、携帯電話装置１１１からサーバ１２０へ送信される。出力部１００５は、図９に示した携帯Ｉ／Ｆ９０５の出力用のインターフェースによってその機能を実現することができる。
【００６０】
取得部１００６は、携帯電話装置１１１に内蔵されるカメラによって撮像された車両周辺の撮像情報を取得する。取得部１００６は、携帯Ｉ／Ｆ９０５の入力用のインターフェースによってその機能を実現することができる。記憶部１００７は、入力部１００１に入力された検知情報や、取得部１００６によって取得された撮像情報を記憶する。記憶部１００７は、図９に示したメモリ９０４によってその機能を実現することができる。
【００６１】
更新部１００８は、記憶部１００７に記憶される情報をサイクリックに更新（上書き）し、特に、撮像情報を所定の間隔で更新する。更新部１００８は、具体的には、所定の間隔として、たとえば現時点に取得した撮像情報を、２０秒前に記憶した撮像情報に順次上書きする。なお、記憶部１００７のメモリの容量に応じて、具体的には、たとえば着脱自在なメモリカードなどのメモリの容量に応じて、記憶する時間を適宜変更することができる。更新部１００８は、図９に示したＣＰＵ９０３によってその機能を実現することができる。なお、ＣＰＵ９０３は時間を計測するタイマを備えている。
【００６２】
登録部１００９は、転送先となる利用者端末装置１３０の情報を登録する。転送先となる利用者端末装置１３０の情報は、具体的には、利用者端末装置１３０の電子メールアドレスや電話番号の情報である。登録部１００９に登録される利用者端末装置１３０の数は、単数であっても複数であってもよい。登録部１００９は、図９に示したメモリ９０４によってその機能を実現することができる。
【００６３】
また、制御部１００４は、判断部１００３によって加速度が所定範囲を超えると判断された場合に、記憶部１００７に記憶された撮像情報を保存させるとともに、異常状態を示す情報としての保存された撮像情報と、登録部１００９に登録される利用者端末装置１３０の情報とを出力部１００５に出力する。記憶部１００７に記憶された撮像情報は、具体的には、判断部１００３によって加速度が所定範囲を超えると判断された時刻を基準として、前後一定時間の情報である。なお、ここで云う保存は、記憶された撮像情報に対する上書きを禁止することである。
【００６４】
検出部１０１０は、コネクタ７０１（図７参照）と携帯電話装置１１１との接続を検出する。なお、検出部１０１０は、収容部２０５（図２参照）内の携帯電話装置１１１の有無を検出できるものであればよく、このような電気的な接続による接続信号を用いたものに限らず、センシングによるものでもよい。なお、この場合、検出部１０１０は、収容部２０５内の携帯電話装置１１１の有無を検出するセンサによってその機能を実現することができる。
【００６５】
加圧部１０１１は、検出部１０１０によって収容部２０５内に携帯電話装置１１１が検出されたときに、エアバック４０１に空気を送出することにより、エアバック４０１に対して携帯電話装置１１１を固定させるための力を印加させる。加圧部１０１１は、図９に示したＣＰＵ９０３の制御に基づくポンプ５０２（図５参照）によってその機能を実現することができる。
【００６６】
（情報通知システムの情報通知処理の一例）
つぎに、図１１を用いて、実施の形態１にかかる情報通知システム１００の情報通知処理の一例について、説明する。図１１は、情報通知システム１００の情報通知処理の一例を示すシーケンス図である。
【００６７】
図１１において、まず、クレードル装置１１０は、携帯電話装置１１１が収容部２０５にセットされたか否かを判断する（ステップＳ１１０１）。ステップＳ１１０１において、携帯電話装置１１１が収容部２０５にセットされるまで待機状態にあり（ステップＳ１１０１：Ｎｏのループ）、携帯電話装置１１１が収容部２０５にセットされると（ステップＳ１１０１：Ｙｅｓ）、ＣＰＵ９０３の制御に基づきポンプ５０２によりエアバックを加圧する（ステップＳ１１０２）。
【００６８】
そして、Ｇセンサ９０１が加速度を検知する（ステップＳ１１０３）。さらに、携帯電話装置１１１から携帯Ｉ／Ｆ９０５を介して撮像情報を取得する（ステップＳ１１０４）。撮像情報には、音声情報、時刻の情報、位置情報などが含まれる。なお、携帯電話装置１１１が収容部２０５にセットされた際に、携帯電話装置１１１に対して内蔵されるカメラなどの撮像部１１２や、マイクなどの集音部などの起動命令を要求する要求信号を送信するようにし、携帯電話装置１１１が当該要求信号を受けて撮像部１１２などを起動する構成としてもよい。
【００６９】
そして、取得した撮像情報をメモリ９０４に記憶する（ステップＳ１１０５）。さらに、記憶されてから所定時間経過した撮像情報を順次上書きする（ステップＳ１１０６）。所定時間は、具体的には、２０秒前後であり、たとえば１８秒である。つまり、現時点に取得した撮像情報を、１８秒前にメモリ９０４に記憶された撮像情報に上書きする。
【００７０】
さらに、ＣＰＵ９０３により加速度が所定範囲を超えたか否かを判断する（ステップＳ１１０７）。ステップＳ１１０７において、加速度が所定範囲を超えていないと判断した場合（ステップＳ１１０７：Ｎｏ）、ステップＳ１１０３に移行する。一方、ステップＳ１１０７において、加速度が所定範囲を超えたと判断した場合（ステップＳ１１０７：Ｙｅｓ）、加速度が所定範囲を超えたときの時刻を基準として前後一定時間の撮像情報を保存する（ステップＳ１１０８）。
【００７１】
具体的には、加速度が所定範囲を超えたときを基準として、１２秒前から６秒後までの計１８秒間の画像を保存する。そして、携帯電話装置１１１を介して、保存した撮像情報と、メモリ９０４に登録される転送先の利用者端末装置１３０の情報とをサーバ１２０へ送信する（ステップＳ１１０９）。このあと、携帯電話装置１１１が収容部２０５から外されたか否かを判断する（ステップＳ１１１０）。
【００７２】
ステップＳ１１１０において、携帯電話装置１１１が収容部２０５から外されるまで（ステップＳ１１１０：Ｎｏ）、ステップＳ１１０３に移行し、上述した処理が繰り返しおこなわれる。一方、ステップＳ１１１０において、携帯電話装置１１１が収容部２０５から外されると（ステップＳ１１１０：Ｙｅｓ）、一連の処理を終了する。
【００７３】
つぎに、サーバ１２０の処理について説明する。サーバ１２０は、クレードル装置１１０によって制御される携帯電話装置１１１から、撮像情報と転送先の利用者端末装置１３０の情報とを受信するまで待機状態にある（ステップＳ１１１１：Ｎｏのループ）。ステップＳ１１１１において、撮像情報と転送先の利用者端末装置１３０の情報とを受信すると（ステップＳ１１１１：Ｙｅｓ）、転送先の利用者端末装置１３０へ、当該撮像情報を転送し（ステップＳ１１１２）、一連の処理を終了する。
【００７４】
つぎに、利用者端末装置１３０の処理について説明する。利用者端末装置１３０は、サーバ１２０から撮像情報を受信するまで待機状態にある（ステップＳ１１１３：Ｎｏのループ）。ステップＳ１１１３において、撮像情報を受信すると（ステップＳ１１１３：Ｙｅｓ）、撮像情報を受信した旨の情報を通知し（ステップＳ１１１４）、一連の処理を終了する。
【００７５】
撮像情報を受信した旨の情報の通知は、たとえば、通常の電子メールを受信した際の表示とは異なる表示形式などとし、利用者端末装置１３０を利用するユーザに対して、急迫性のある旨を強調した通知とすればよい。また、ステップＳ１１１４においては、撮像情報を受信した旨の情報とともに、撮像情報を表示させるようにしてもよい。
【００７６】
上述した処理によれば、Ｇセンサ９０１によって検知された加速度が所定範囲を超える場合に、異常状態を示す情報を携帯電話装置１１１からサーバ１２０へ送信させるようにしたので、ドライブレコーダとして機能させることができるだけでなく、サーバ１２０にて格納するデータ量を抑えることができるとともに、異常状態を的確且つリアルタイムにサーバへ送信することができる。また、利用者端末装置１３０により異常状態である旨を取得した家族や職場の関係者は、緊急車両の出動要請や初動措置をおこなうことができる。したがって、一刻を争う人命救助に有効であるだけでなく、事件や事故における原因究明に役立てることもできる。
【００７７】
また、実施の形態１にかかるクレードル装置１１０は、Ｇセンサ９０１から入力された加速度の検知情報を記憶するメモリ９０４を備えたので、携帯電話装置１１１に内蔵されるメモリの容量にかかわらず、検知情報や撮像情報等を記憶することができる。
【００７８】
また、実施の形態１にかかるクレードル装置１１０は、メモリ９０４に記憶される撮像情報を所定の間隔で更新するようにしたので、必要な情報のみをメモリ９０４に記憶させることができ、メモリ９０４の容量が許容量に達し、記憶できなくなってしまうといったことを防止することができる。
【００７９】
また、実施の形態１にかかるクレードル装置１１０は、ＣＰＵ９０３によって移動体が異常状態にあると判断された場合に、メモリ９０４に記憶された撮像情報を保存させるとともに、保存された撮像情報を携帯電話装置１１１からサーバ１２０へ送信させるようにしたので、サーバ１２０に対して異常状態を示す情報のみを送信することができる。
【００８０】
また、実施の形態１にかかるクレードル装置１１０は、予め登録される、異常状態を示す情報の転送先となる利用者端末装置１３０の情報と、異常状態を示す情報とを携帯電話装置１１１から外部のサーバ１２０へ送信させるようにしたので、異常状態を示す情報を利用者端末装置１３０に早急に転送させることが可能になる。
【００８１】
また、実施の形態１にかかるクレードル装置１１０は、メモリ９０４に不揮発性記憶媒体を用いたので、事故などにより電源の入力がなくなった場合であっても、撮像情報を記憶しておくことが可能になる。
【００８２】
また、実施の形態１にかかるクレードル装置１１０は、エアバック４０１に空気を送出することにより、携帯電話装置１１１を固定させるようにしたので、振動や衝撃などによって撮像領域が変動してしまうといったことを防止することができる。
【００８３】
また、実施の形態１にかかるクレードル装置１１０は、携帯電話装置１１１に対して電源を供給するようにしたので、携帯電話装置１１１のバッテリーを充電することができるとともに、携帯電話装置１１１のバッテリー残量が少ない状態であっても、電源を供給することにより、携帯電話装置１１１の撮像部に撮像をおこなわせることができる。
【００８４】
また、実施の形態１にかかるサーバ１２０は、異常状態を示す情報と、当該異常状態を示す情報の転送先となる利用者端末装置１３０の情報とを受信し、受信した異常状態を示す情報を利用者端末装置１３０に転送するようにしたので、利用者端末装置１３０を利用するユーザや第三者に対して、当該異常状態にある旨をリアルタイムに知らせることができる。
【００８５】
また、実施の形態１においては、クレードル装置１１０または携帯電話装置１１１により、各種処理をおこない、サーバ１２０に送信するようにしたが、サーバ１２０にて各種処理をおこなうことも可能である。すなわち、サーバ１２０に、クレードル装置１１０からＧセンサ９０１によって検知された検知情報を受信するとともに、受信した検知情報を用いて、車両の動作状態が異常状態であると判断した場合、異常状態を示す情報を、予め登録される利用者端末装置１３０へ送信させるようにすることも可能である。
【００８６】
このような構成によれば、クレードル装置１１０および携帯電話装置１１１を、撮像情報や検知情報の取得および送信をおこなうだけの簡易な構成とすることができる。また、サーバ１２０にて、各種処理をおこなうことにより、異常状態を示す情報のみを格納し、格納するデータ量を抑えることができるとともに、異常状態を的確且つリアルタイムに利用者端末装置１３０に送信することができる。このような構成であっても、上述した構成と同様の効果を得ることができる。
【００８７】
（実施の形態２）
つぎに、この発明にかかる実施の形態２について説明する。実施の形態２は、情報通知システム１００の構成等については概ね実施の形態１と同様であるが、携帯電話装置１１１に内蔵されるメモリに撮像情報を記憶するようにした点が実施の形態１と異なる。なお、以下の説明においては、情報通知システム１００の構成等については概ね実施の形態１と同様であるため、制御処理についてのみ説明する。
【００８８】
（クレードル装置および携帯電話装置の制御処理の一例）
図１２を用いて、実施の形態２にかかるクレードル装置１１０および携帯電話装置１１１の制御処理の一例について説明する。図１２は、実施の形態２にかかるクレードル装置１１０および携帯電話装置１１１の制御処理の一例を示すシーケンス図である。なお、図１２に示す処理においては、適宜、実施の形態１（図１１に示した処理）よりも詳細に説明する。
【００８９】
図１２において、まず、クレードル装置１１０は、電源が投入されるまで待機状態にあり（ステップＳ１２０１：Ｎｏのループ）、電源が投入されると（ステップＳ１２０１：Ｙｅｓ）、クレードル装置１１０の初期設定をおこなう（ステップＳ１２０２）。そして、携帯電話装置１１１に対して初期設定の要求をおこなう（ステップＳ１２０３）。
【００９０】
この初期設定の要求を受け、携帯電話装置１１１は、ドライブレコーダのアプリケーションソフトを起動する（ステップＳ１２０４）。なお、携帯電話装置１１１には当該アプリケーションソフトがインストールされていることを前提とする。このあと、携帯電話装置１１１は、初期設定をおこなう（ステップＳ１２０５）。初期設定は、撮像部１１２の起動や集音部の起動などである。
【００９１】
初期設定が完了すると初期設定完了通知をクレードル装置１１０に送信する。クレードル装置１１０は、ステップＳ１２０３にて初期設定の要求をおこなったあと、初期設定完了通知を受信するまで待機状態にある（ステップＳ１２０６：Ｎｏのループ）。ステップＳ１２０６において、初期設定完了通知を受信すると（ステップＳ１２０６：Ｙｅｓ）、イベントが発生したか否かを判断する（ステップＳ１２０７）。
【００９２】
イベントの発生は、Ｇセンサ９０１による所定範囲を超える加速度を検知したときや、事故寸前の危険な状態を記憶させたいときに利用者がエマージェンシースイッチを押下したときや、その他の外部からの記憶要求を受け付けたときなどである。
【００９３】
ステップＳ１２０７において、イベントが発生したと判断するまで待機状態にあり（ステップＳ１２０７：Ｎｏのループ）、イベントが発生したと判断した場合（ステップＳ１２０７：Ｙｅｓ）、携帯電話装置１１１へ、イベントが発生した旨の情報を送信する（ステップＳ１２０８）。
【００９４】
一方、携帯電話装置１１１は、ステップＳ１２０５にて初期設定をおこなったあと、撮像情報を取得する（ステップＳ１２０９）。また、音声情報を取得する（ステップＳ１２１０）。さらに、時刻の情報を取得する（ステップＳ１２１１）。また、携帯電話装置１１１のＧＰＳ機能により位置情報（車両の位置情報）を取得する（ステップＳ１２１２）。そして、取得した各情報を携帯電話装置１１１に内蔵されるメモリに書き込む（ステップＳ１２１３）。そして、イベントが発生した旨の情報を受信するまで（ステップＳ１２１４：Ｎｏ）、ステップＳ１２０９に移行する。
【００９５】
ステップＳ１２１４において、イベントが発生した旨の情報を受信すると（ステップＳ１２１４：Ｙｅｓ）、受信前後の一定時間の各種情報をメモリへ保存する（ステップＳ１２１５）。受信前後の一定時間の情報は、具体的には、イベントが発生した旨の情報を受信したときを基準として、たとえば、１２秒前から６秒後までの計１８秒間の画像である。
【００９６】
このあと、保存した情報をサーバ１２０へ送信するとともに（ステップＳ１２１６）、イベント処理を完了する（ステップＳ１２１７）。このとき、クレードル装置１１０に対してイベント処理完了通知を送信する。そして、携帯電話装置１１１がクレードル装置１１０から外されたか否かを判断する（ステップＳ１２１８）。ステップＳ１２１８において、携帯電話装置１１１がクレードル装置１１０から外されるまで（ステップＳ１２１８：Ｎｏ）、ステップＳ１２０９に移行する。一方、ステップＳ１２１８において、携帯電話装置１１１がクレードル装置１１０から外されると（ステップＳ１２１８：Ｙｅｓ）、一連の処理を終了する。
【００９７】
また、クレードル装置１１０は、ステップＳ１２０８にてイベントが発生した旨の情報を送信したあと、イベント処理の完了通知を受信するまで待機状態にあり（ステップＳ１２１９：Ｎｏのループ）、イベント処理の完了通知を受信すると（ステップＳ１２１９：Ｙｅｓ）、携帯電話装置１１１との接続が切断したか否かを判断する（ステップＳ１２２０）。
【００９８】
ステップＳ１２２０において、携帯電話装置１１１との接続が切断するまで（ステップＳ１２２０：Ｎｏ）、ステップＳ１２０７に移行する。一方、ステップＳ１２２０において、携帯電話装置１１１との接続が切断すると（ステップＳ１２２０：Ｙｅｓ）、一連の処理を終了する。
【００９９】
上述した処理によれば、携帯電話装置１１１に内蔵されるメモリに撮像情報等を記憶するようにしたので、クレードル装置１１０に撮像情報用のメモリ９０４を備えることなく、実施の形態１と同様の効果を得ることができる。
【０１００】
以上のように、実施の形態２にかかるクレードル装置１１０によれば、実施の形態１と同様に、Ｇセンサ９０１によって検知された加速度が所定範囲を超える場合に、異常状態を示す情報を携帯電話装置１１１からサーバ１２０へ送信させるようにしたので、ドライブレコーダとして機能させることができるだけでなく、サーバ１２０にて格納するデータ量を抑えることができるとともに、異常状態を的確且つリアルタイムにサーバへ送信することができる。また、利用者端末装置１３０により異常状態である旨を取得した家族や職場の関係者は、緊急車両の出動要請や初動措置をおこなうことができる。したがって、一刻を争う人命救助に有効であるだけでなく、事件や事故における原因究明に役立てることもできる。
【０１０１】
（実施の形態３）
以下に添付図面を参照して、この発明にかかる実施の形態３を詳細に説明する。実施の形態３は、情報通知システム１００の構成等については実施の形態１と同様であり、クレードル装置１３００および携帯電話装置１１１を用いて医療用や介護用に、利用者の異常を報知するための機能を持たせた点が実施の形態１と異なる。具体的には、このクレードル装置１３００は、利用者のベッド周辺などに配置される。なお、以下の説明において、実施の形態１と同様の構成のものについては、同様の符号を付し、詳細な説明を省略する。
【０１０２】
（クレードル装置のハードウェア構成の概要）
まず、図１３を用いて、実施の形態３にかかるクレードル装置１３００のハードウェア構成の概要について説明する。図１３は、実施の形態３にかかるクレードル装置１３００のハードウェア構成の概要を示すブロック図である。図１３において、クレードル装置１３００は、無線センサ用受信回路１３０１と、Ａ／Ｄコンバータ９０２と、ＣＰＵ９０３と、メモリ９０４と、携帯Ｉ／Ｆ９０５と、近距離無線通信回路１３０２と、外部センサ入力端子９０７と、保守用ＵＳＢポート９０８と、電源入力端子１３０３と、ＡＣ／ＤＣコンバータ１３０４とを備えている。
【０１０３】
無線センサ用受信回路１３０１は、ポケット式超低周波センサ１３０５と通信接続される。ポケット式超低周波センサ１３０５は、たとえば、生体信号特有の超低周波信号が検知できる圧力センサが用いられる。より具体的には、ポケット式超低周波センサ１３０５は、検知した信号を処理することにより心拍数または呼吸数を出力する。なお、ポケット式超低周波センサ１３０５は、心拍数や呼吸数に限らず、いびきなど他の体動状態に関する信号を出力することも可能である。無線センサ用受信回路１３０１は、ポケット式超低周波センサ１３０５から出力された心拍数または呼吸数を受信する。
【０１０４】
近距離無線通信回路１３０２は、たとえば、Ｂｌｕｅｔｏｏｔｈによって構成される。なお、Ｂｌｕｅｔｏｏｔｈは、登録商標である。近距離無線通信回路１３０２は、予め登録される携帯電話装置１１１を認証し、認証に成功した携帯電話装置１１１との接続をおこなう。
【０１０５】
電源入力端子１３０３は、たとえば差し込みプラグを有し、家庭用のプラグ受け（電源コンセント）に接続される。ＡＣ／ＤＣコンバータ１３０４は、１００Ｖの交流電流の電圧値を直流電源に変換するコンバータである。変換された電源は、クレードル装置１３００用（回路用）の電源と、携帯電話装置１１１を充電するため電源とに分岐される。
【０１０６】
なお、図１０に示したクレードル装置１１０の機能的構成を用いて、実施の形態３にかかるクレードル装置１３００の機能的構成について説明すると、入力部１００１は、無線センサ用受信回路１３０１、またはインターフェースコンバータとしてのＡ／Ｄコンバータ９０２によってその機能を実現することができる。また、検知部１００２は、クレードル装置１３００の外部の機能となるが、ポケット式超低周波センサ１３０５によってその機能を実現することができる。
【０１０７】
判断部１００３は、入力部１００１に入力された心拍数または呼吸数が所定範囲内か否かを判断する。所定範囲内の心拍数または呼吸数は、その人にとって正常な状態を示す値である。また、制御部１００４は、判断部１００３によって心拍数または呼吸数が所定範囲を超えると判断された場合に、異常状態を示す情報を出力部１００５に出力する。所定範囲を超える心拍数または呼吸数は、その人にとって正常な状態ではない値である。
【０１０８】
異常状態を示す情報は、具体的には、報知アラームなどの情報であってもよいし、撮像された利用者の状況を示す撮像情報であってもよいし、心拍数または呼吸数の情報であってもよい。出力部１００５は、図９に示した携帯Ｉ／Ｆ９０５の出力用のインターフェース、またはＢｌｕｅｔｏｏｔｈによる通信Ｉ／Ｆによってその機能を実現することができる。
【０１０９】
取得部１００６は、携帯電話装置１１１に内蔵されるカメラによってベッド上の人の撮像情報を取得する。取得部１００６は、携帯Ｉ／Ｆ９０５の入力用のインターフェース、またはＢｌｕｅｔｏｏｔｈによる通信Ｉ／Ｆによってその機能を実現することができる。記憶部１００７は、入力部１００１に入力された心拍数または呼吸数の情報や、取得部１００６によって取得された撮像情報を記憶する。
【０１１０】
更新部１００８は、記憶部１００７に記憶される情報を更新し、心拍数または呼吸数などの情報や、撮像情報を所定の間隔で更新する。登録部１００９は、転送先となる利用者端末装置１３０の情報を登録する。
【０１１１】
また、制御部１００４は、判断部１００３によって心拍数または呼吸数が所定範囲を超えると判断された場合に、記憶部１００７に記憶された撮像情報や、心拍数または呼吸数の情報を保存させるとともに、異常状態を示す情報としての保存された情報と、登録部１００９に登録される利用者端末装置１３０の情報とを出力部１００５に出力する。また、実施の形態３においても、エアバック４０１や加圧部１０１１により携帯電話装置１１１を固定することにより、安定して撮像をおこなうことが可能である。
【０１１２】
（情報通知システムの情報通知処理の一例）
つぎに、図１４を用いて、実施の形態３にかかる情報通知システム１００の情報通知処理の一例について、説明する。図１４は、実施の形態３にかかる情報通知システム１００の情報通知処理の一例を示すシーケンス図である。なお、以下の説明においては、簡易的な処理について説明し、具体的には、携帯電話装置１１１の撮像部１１２によって撮像される撮像情報の記憶や、エアバック４０１の加圧については省略した処理について説明する。
【０１１３】
図１４において、まず、クレードル装置１３００は、携帯電話装置１１１が収容部２０５にセットされたか否かを判断する（ステップＳ１４０１）。ステップＳ１４０１において、携帯電話装置１１１が収容部２０５にセットされるまで待機状態にあり（ステップＳ１４０１：Ｎｏのループ）、携帯電話装置１１１が収容部２０５にセットされると（ステップＳ１４０１：Ｙｅｓ）、ポケット式超低周波センサ１３０５から検知情報を入力する（ステップＳ１４０２）。なお、検知情報は、心拍数または呼吸数の情報である。
【０１１４】
そして、メモリ９０４に検知情報を記憶する（ステップＳ１４０３）。さらに、ＣＰＵ９０３により心拍数または呼吸数が所定範囲を超えたか否かを判断する（ステップＳ１４０４）。ステップＳ１４０４において、心拍数または呼吸数が所定範囲を超えていないと判断した場合（ステップＳ１４０４：Ｎｏ）、ステップＳ１４０２に移行する。
【０１１５】
一方、ステップＳ１４０４において、心拍数または呼吸数が所定範囲を超えたと判断した場合（ステップＳ１４０４：Ｙｅｓ）、携帯電話装置１１１を介して、異常状態を示す情報と、メモリ９０４に登録される転送先となる利用者端末装置１３０の情報とをサーバ１２０へ送信する（ステップＳ１４０５）。なお、異常状態を示す情報には、心拍数または呼吸数の情報も含まれる。このあと、携帯電話装置１１１が収容部２０５から外されたか否かを判断する（ステップＳ１４０６）。
【０１１６】
ステップＳ１４０６において、携帯電話装置１１１が収容部２０５から外されるまで（ステップＳ１４０６：Ｎｏ）、ステップＳ１４０２に移行し、上述した処理が繰り返しおこなわれる。一方、ステップＳ１４０６において、携帯電話装置１１１が収容部２０５から外されると（ステップＳ１４０６：Ｙｅｓ）、一連の処理を終了する。
【０１１７】
つぎに、サーバ１２０の処理について説明する。サーバ１２０は、クレードル装置１３００によって制御される携帯電話装置１１１から、異常状態を示す情報と転送先の利用者端末装置１３０の情報とを受信するまで待機状態にある（ステップＳ１４０７：Ｎｏのループ）。ステップＳ１４０７において、異常状態を示す情報と転送先の利用者端末装置１３０の情報とを受信すると（ステップＳ１４０７：Ｙｅｓ）、転送先の利用者端末装置１３０へ、当該異常状態を示す情報を転送し（ステップＳ１４０８）、一連の処理を終了する。
【０１１８】
つぎに、利用者端末装置１３０の処理について説明する。利用者端末装置１３０は、サーバ１２０から異常状態を示す情報を受信するまで待機状態にある（ステップＳ１４０９：Ｎｏのループ）。ステップＳ１４０９において、異常状態を示す情報を受信すると（ステップＳ１４０９：Ｙｅｓ）、異常状態を示す情報を受信した旨の情報を通知し（ステップＳ１４１０）、一連の処理を終了する。
【０１１９】
以上のように、実施の形態３にかかるクレードル装置１１０によれば、検知センサから検知情報を入力し、入力された検知情報を用いて、呼吸数または心拍数が所定範囲を超える場合、異常状態を示す情報を携帯電話装置１１１からサーバ１２０へ送信させるようにしたので、医療用や介護用の報知装置として用いることができるだけでなく、異常状態を的確且つリアルタイムにサーバ１２０へ送信することができる。これにより、早急な医療体制を整えることができ、一刻を争う人命救助に有効である。
【０１２０】
なお、実施の形態３では、携帯電話装置１１１の撮像部１１２によって撮像される撮像情報の記憶や、エアバック４０１の加圧については省略した簡易的な処理について説明したが、撮像情報を記憶し、エアバック４０１を加圧する処理を加えることももちろん可能である。つまり、エアバック４０１を加圧することにより、携帯電話装置１１１に適切な撮像領域を保持させて固定させるとともに、当該撮像情報を記憶して、サーバ１２０へ送信することも可能である。
【０１２１】
この場合、サーバ１２０は、利用者端末装置１３０に当該撮像情報を転送すればよい。このような処理であれば、撮像情報によって、より詳細な情報を知ることができる。なお、この場合、撮像情報を更新する時間は、医療行為等の参考にできる程度の時間に設定すればよく、ドライブレコーダとして用いる場合と比較して、たとえば、画質を落とし、長時間の設定とすればよい。
【０１２２】
また、実施の形態３においては、クレードル装置１１０または携帯電話装置１１１により、各種処理をおこない、サーバ１２０に送信するようにしたが、実施の形態１において、補足したように、サーバ１２０にて各種処理をおこなうことも可能である。すなわち、サーバ１２０に、クレードル装置１１０からポケット式超低周波センサ１３０５によって検知された検知情報を受信するとともに、受信した検知情報を用いて、異常状態であると判断した場合、異常状態を示す情報を、予め登録される利用者端末装置１３０へ送信させるようにすることも可能である。
【０１２３】
このような構成によれば、クレードル装置１１０および携帯電話装置１１１を、検知情報の取得および送信をおこなうだけの簡易な構成とすることができる。また、サーバ１２０にて、各種処理をおこなうことにより、異常状態を的確且つリアルタイムに利用者端末装置１３０に送信することができる。このような構成であっても、上述した構成と同様の効果を得ることができる。
【０１２４】
（実施の形態４）
つぎに、この発明にかかる実施の形態４について説明する。実施の形態４は、実施の形態３と同様の構成であるが、防犯用の異常を報知するための機能を持たせた点で実施の形態３と異なる。なお、各構成および処理等については、実施の形態１および実施の形態３とほぼ同様であるため、実施の形態１および実施の形態３で説明した図面を適宜用いて簡単に説明しておく。
【０１２５】
実施の形態４においては、図１４に示したポケット式超低周波センサ１３０５に変わり、屋内または屋外に設置される防犯用センサを用いる。屋内は、具体的には、居住空間である住宅やオフィスなどである。屋外は、居住空間以下であり、たとえば、建造物のベランダや、車両内、倉庫内などである。なお、屋外について、ベランダなど不特定多数の人が自由に出入り可能な場所としていないのは、防犯用センサの近傍に携帯電話装置１１１を配置させておく必要があるためである。
【０１２６】
以下の説明においては、ドアや扉などの開閉部周辺に配置される防犯用センサを用いた場合について説明する。防犯用センサには、たとえば、開閉部に取り付けられるマグネットセンサや、ガラス用振動センサや、赤外線センサなどの侵入防止用のセンサが用いられる。図１０に示したクレードル装置１１０の機能的構成を用いて説明すると、判断部１００３は、入力部１００１に入力されたセンサの検知情報が異常を示すものか否かを判断する。また、制御部１００４は、判断部１００３によってセンサの検知信号が異常を示すものであると判断された場合に、異常状態を示す情報を出力部１００５に出力する。
【０１２７】
異常状態を示す情報は、具体的には、たとえば、報知アラームなどの情報であってもよいし、撮像された撮像情報であってもよい。取得部１００６は、携帯電話装置１１１に内蔵されるカメラによって開閉部周辺の撮像情報を取得する。記憶部１００７は、入力部１００１に入力された検知情報や、取得部１００６によって取得された撮像情報を記憶する。
【０１２８】
上述した実施の形態４によれば、防犯用センサから検知情報を入力し、入力された検知情報が異常を示すものと判断した場合に、異常状態を示す情報を携帯電話装置１１１からサーバ１２０へ送信させるようにしたので、防犯用の報知装置として用いることができるだけでなく、異常状態を的確且つリアルタイムにサーバ１２０に送信することができる。これにより、迅速な初動措置を施すことができるとともに、犯罪が発生した際の証拠を得ることができる。
【０１２９】
以上説明したように、本発明にかかるクレードル装置、サーバ、制御方法、制御プログラム、および記録媒体によれば、異常状態における情報のみを的確にサーバに格納することができ、サーバにて格納するデータ量を抑えることができるだけでなく、利用者や第三者に対して、異常状態にある旨をリアルタイムに知らせることができる。
【産業上の利用可能性】
【０１３０】
本発明にかかるクレードル装置は、携帯電話装置のバッテリーを充電することが可能なクレードル装置に有用であり、特に、携帯電話装置と併せてドライブレコーダとしての機能を有するクレードル装置、医療用の報知装置としての機能を有するクレードル装置、または防犯用の報知装置としての機能を有するクレードル装置に適している。
【図面の簡単な説明】
【０１３１】
【図１】実施の形態１にかかる情報通知システムの概要を示す説明図である。
【図２】クレードル装置の側面図である。
【図３】クレードル装置の正面図である。
【図４】クレードル装置の上面図である。
【図５】センサ付回路部の構成を示す側面図である。
【図６】クレードル装置に携帯電話装置をセットした際の側面図である。
【図７】クレードル装置に携帯電話装置をセットした際の正面図である。
【図８】クレードル装置に携帯電話装置をセットした際の上面図である。
【図９】クレードル装置のハードウェア構成の概要を示すブロック図である。
【図１０】クレードル装置の機能的構成を示すブロック図である。
【図１１】情報通知システムの情報通知処理の一例を示すシーケンス図である。
【図１２】実施の形態２にかかるクレードル装置および携帯電話装置の制御処理の一例を示すシーケンス図である。
【図１３】実施の形態３にかかるクレードル装置のハードウェア構成の概要を示すブロック図である。
【図１４】実施の形態３にかかる情報通知システムの情報通知処理の一例を示すシーケンス図である。
【符号の説明】
【０１３２】
１００  情報通知システム
１１０  クレードル装置
１１１  携帯電話装置
１１２  撮像部
１２０  サーバ
１３０  利用者端末装置
４０１  エアバック
５０２  ポンプ
９０１  Ｇセンサ
９０３  ＣＰＵ
９０４  メモリ
９０５  携帯Ｉ／Ｆ
１００１  入力部
１００２  検知部
１００３  判断部
１００４  制御部
１００５  出力部
１００６  取得部
１００７  記憶部
１００８  更新部
１００９  登録部
１０１０  検出部
１０１１  加圧部
１３００  クレードル装置
１３０１  無線センサ用受信回路
１３０２  近距離無線通信回路
１３０５  ポケット式超低周波センサ
【図１】
2009177294.tif 000003
【図２】
2009177294.tif 000004
【図３】
2009177294.tif 000005
【図４】
2009177294.tif 000006
【図５】
2009177294.tif 000007
【図６】
2009177294.tif 000008
【図７】
2009177294.tif 000009
【図８】
2009177294.tif 000010
【図９】
2009177294.tif 000011
【図１０】
2009177294.tif 000012
【図１１】
2009177294.tif 000013
【図１２】
2009177294.tif 000014
【図１３】
2009177294.tif 000015
【図１４】
2009177294.tif 000016